(57)【特許請求の範囲】
【請求項１】
薄膜監視方法において、
薄膜を具えた基板を提供し、
低コヒーレンス長の光源を具えた動的干渉計を使用して画素化位相マスク画像検出ユニットを通して該薄膜の反射位相を測定し、
偏光干渉計を利用して該光源からの低コヒーレンス光を分割して直交する第１線形偏光と第２線形偏光となし、
これら二つの線形偏光を基板及び該薄膜に対して垂直方向に入射させ、これら二つの線形偏光を該基板の両面上の二つのインターフェイスで反射させ、
該画素化位相マスク画像検出ユニットにより全ての反射光を受け取り、これらの反射光束間の経路長の差が該低コヒーレンス長より小さい間、該反射光束が互いに干渉し、
該動的干渉計に該干渉光を発生させて、干渉強度に対応する反射位相を得、
該薄膜の透過率を測定し、該薄膜の非吸収反射率を計算し、或いは直接に画素化位相マスク画像検出ユニットを使用して該薄膜の反射率を測定し、
異なる時間における該反射位相と該反射率に一致する反射係数を得、
該反射係数に一致する該薄膜の等価アドミタンスを計算し、
該等価アドミタンスにより該薄膜の厚さと屈折率を計算し、
以上のステップを包含することを特徴とする、薄膜監視方法。
【請求項２】
請求項１記載の薄膜監視方法において、画素化位相マスク画像検出ユニットは、偏光板が結合された画素アレイにアラインされた複屈折結晶アレイを含む光検出器を包含することを特徴とする、薄膜監視方法。
【請求項３】
請求項１記載の薄膜監視方法において、画素化位相マスク画像検出ユニットは、４分の１波長板が結合された画素アレイにアラインされた偏光板アレイを含む光検出器を包含することを特徴とする、薄膜監視方法。
【請求項４】
請求項１記載の薄膜監視方法において、該動的干渉計に該干渉光を発生させて、干渉強度に対応する反射位相を得るステップは、画素化位相マスク画像検出ユニットが全ての反射光を受け取り、異なる位相シフトインターフェログラムを生成し、それから該動的干渉計が該位相シフトインターフェログラムにより該反射位相を得ることを特徴とする、薄膜監視方法。
【請求項５】
請求項１記載の薄膜監視方法において、該低コヒーレンス光のコヒーレンス長は該薄膜の総光学厚さより大きく該基板の光学厚さより小さいことを特徴とする、薄膜監視方法。
【請求項６】
請求項１記載の薄膜監視方法において、該動的干渉計に該干渉光を発生させて、干渉強度に対応する反射位相を得るステップは、位相シフトアルゴリズムを使用することで該干渉光に一致する反射位相を獲得するために提供されることを特徴とする、薄膜監視方法。
【請求項７】
請求項１記載の薄膜監視方法において、該動的干渉計に該干渉光を発生させて、干渉強度に対応する反射位相を得るステップでは、該動的干渉計が該画素化位相マスク画像検出ユニットを通して該干渉光を検出することを特徴とする、薄膜監視方法。
【請求項８】
請求項７記載の薄膜監視方法において、該画素化位相マスク画像検出ユニットの画像検出結果は、複数の画素を包含し、該画素は４つの画素が１ユニットと設定され、各ユニットは位相として記録されることを特徴とする、薄膜監視方法。
【請求項９】
請求項１記載の薄膜監視方法において、基板を通過する反射された該第１線形偏光と反射された該第２線形偏光は、複数の反射光束を形成し、各対の二つの光束が互いに干渉する反射光束対の間の経路差は、二つのミラーの偏光ビームスプリッタまでの経路長の差が基板の光学厚さに等しいとき、コヒーレンス長よりも小さいことを特徴とする、薄膜監視方法。
【請求項１０】
請求項９記載の薄膜監視方法において、各光束対は、偏光板を通過した後に互いに干渉することを特徴とする、薄膜監視方法。
【請求項１１】
請求項１０記載の薄膜監視方法において、該基板上に参考反射表面が挿入されて、経路差が、参考表面と基板の背面の間の距離に等しくされ、反射位相、薄膜形成変化を具えた表面輪郭が全ての光束対の干渉により測定及び監視されることを特徴とする、薄膜監視方法。
【請求項１２】
請求項１記載の薄膜監視方法において、各時間の薄膜係数を記録し、薄膜形成に伴う変動の軌跡を書き出して、薄膜反射係数の監視図を作成することを特徴とする、薄膜監視方法。
【請求項１３】
請求項１記載の薄膜監視方法において、各時間の等価アドミタンスを記録し、薄膜成長に伴い変動する軌跡を書き出して、薄膜アドミタンスの監視図を作成することを特徴とする、薄膜監視方法。
【請求項１４】
請求項１３記載の薄膜監視方法において、該軌跡の左側の成長の終点で監視感度を増加するステップを包含し、該ステップにおいて、反射位相上にｐｉの位相シフトを加え、対応光学アドミタンスを再計算して監視感度を増加することを特徴とする、薄膜監視方法。
【発明の詳細な説明】
【技術分野】
【０００１】
本発明は、薄膜形成の光学監視方法に係り、特に、動的干渉計（dynamic interferometer）を使用した薄膜形成監視方法に関する。
【背景技術】
【０００２】
光学監視方法は一般に光学フィルター製造の優れた方法であると考えられており、高価な光学フィルター製造のために、より精密な光学モニターが必要とされている。
【０００３】
薄膜積層において、材料の屈折率は通常変化し、それにより各層の好適な厚さは当初設計において期待されていたものと同じにはならない。このため、各薄膜層の終点は修正される必要がある。
【０００４】
しかしながら、周知の監視方法は、分析的にこの問題を解決していない。ほとんどの周知の被覆堆積物のための監視システムでは、透過率と反射率のみが測定される。透過率或いは反射率は、現在の層が監視波長の１／４厚さまで成長すると、局部極値に到達しうる。
【０００５】
ほとんどの方法で、極値の折り返し点が、各層の堆積の終点を推定するのに用いられる。偏光解析及びブロードバンドスペクトル監視のような、他の監視方法では、コンピュータアルゴリズムを使用し測定値を調整することで光学定数を得るが、これは測定値は多すぎるパラメータを含み、それらは分析的に解決することが難しいためである。これらのモニターにより堆積を終結させるより明確な規則はない。
【発明の概要】
【発明が解決しようとする課題】
【０００６】
本発明の目的は、薄膜堆積の監視方法を提供することにある。新型の偏光干渉計を使用することで、通常堆積薄膜より反射される監視光の位相と等級がリアルタイムで得られ、薄膜の物理特性変化もまた分析的に見いだされる。
【０００７】
本発明は、薄膜成長の監視処理のために動的干渉計（dynamic interferometer）を採用する。それは監視と応答誤り補償を行うために、反射係数軌跡或いは等価光学アドミタンス軌跡を提供する。厚さと屈折率の変化もまた、非吸収薄膜に関して知られている。実軸の左交点に近い終点に関しては、ｐｉの位相シフトが測定位相に加えられ得て、監視感度を増すために光学アドミタンスが再計算される。
【課題を解決するための手段】
【０００８】
請求項１の発明は、薄膜監視方法において、
薄膜を具えた基板を提供し、
低コヒーレンス長(low coherence length)の光源を具えた動的干渉計（dynamic interferometer）を使用して画素化位相マスク画像検出ユニットを通して該薄膜の反射位相を測定し、
偏光干渉計を利用して該光源からの低コヒーレンス光を分割して直交する第１線形偏光と第２線形偏光となし、
これら二つの線形偏光を基板及び該薄膜に対して垂直方向に入射させ、これら二つの線形偏光を該基板の両面上の二つのインターフェイスで反射させ、
該画素化位相マスク画像検出ユニットにより全ての反射光を受け取り、これらの反射光束間の経路長の差が該低コヒーレンス長(low coherence length)より小さい間、該反射光束が互いに干渉し、
該動的干渉計（dynamic interferometer）に該干渉光を発生させて、干渉強度に対応する反射位相を得、
該薄膜の透過率を測定し、該薄膜の非吸収反射率を計算し、或いは直接に画素化位相マスク画像検出ユニットを使用して該薄膜の反射率を測定し、
異なる時間における該反射位相と該反射率に一致する反射係数を得、
該反射係数に一致する該薄膜の等価アドミタンス(equivalent admittance)を計算し、
該等価アドミタンス(equivalent admittance)により該薄膜の厚さと屈折率を計算し、
以上のステップを包含することを特徴とする、薄膜監視方法としている。
請求項２の発明は、請求項１記載の薄膜監視方法において、画素化位相マスク画像検出ユニットは、偏光板が結合された画素アレイにアラインされた複屈折結晶アレイを含む光検出器を包含することを特徴とする、薄膜監視方法としている。
請求項３の発明は、請求項１記載の薄膜監視方法において、画素化位相マスク画像検出ユニットは、４分の１波長板が結合された画素アレイにアラインされた偏光板アレイを含む光検出器を包含することを特徴とする、薄膜監視方法としている。
請求項４の発明は、請求項１記載の薄膜監視方法において、該動的干渉計（dynamic interferometer）に該干渉光を発生させて、干渉強度に対応する反射位相を得るステップは、画素化位相マスク画像検出ユニットが全ての反射光を受け取り、異なる位相シフトインターフェログラム(phase shift inteferogram)を生成し、それから該動的干渉計（dynamic interferometer）が該位相シフトインターフェログラム(phase shift inteferogram)により該反射位相を得ることを特徴とする、薄膜監視方法としている。
請求項５の発明は、請求項１記載の薄膜監視方法において、該低コヒーレンス光のコヒーレンス長は該薄膜の総光学厚さより大きく該基板の光学厚さより小さいことを特徴とする、薄膜監視方法としている。
請求項６の発明は、請求項１記載の薄膜監視方法において、該動的干渉計（dynamic interferometer）に該干渉光を発生させて、干渉強度に対応する反射位相を得るステップは、位相シフトアルゴリズムを使用することで該干渉光に一致する反射位相を獲得するために提供されることを特徴とする、薄膜監視方法としている。
請求項７の発明は、請求項１記載の薄膜監視方法において、該動的干渉計（dynamic interferometer）に該干渉光を発生させて、干渉強度に対応する反射位相を得るステップでは、該動的干渉計（dynamic interferometer）が該画素化位相マスク画像検出ユニットを通して該干渉光を検出することを特徴とする、薄膜監視方法としている。
請求項８の発明は、請求項７記載の薄膜監視方法において、該画素化位相マスク画像検出ユニットの画像検出結果は、複数の画素を包含し、該画素は４つの画素が１ユニットと設定され、各ユニットは位相として記録されることを特徴とする、薄膜監視方法としている。
請求項９の発明は、請求項１記載の薄膜監視方法において、基板を通過する反射された該第１線形偏光と反射された該第２線形偏光は、複数の反射光束を形成し、各対の二つの光束が互いに干渉する反射光束対の間の経路差は、二つのミラーの偏光ビームスプリッタまでの経路長の差が基板の光学厚さに等しいとき、コヒーレンス長よりも小さいことを特徴とする、薄膜監視方法としている。
請求項１０の発明は、請求項９記載の薄膜監視方法において、各光束対は、偏光板を通過した後に互いに干渉することを特徴とする、薄膜監視方法としている。
請求項１１の発明は、請求項１０記載の薄膜監視方法において、該基板上に参考反射表面が挿入されて、経路差が、参考表面と基板の背面の間の距離に等しくされ、反射位相、薄膜形成変化を具えた表面輪郭が全ての光束対の干渉により測定及び監視されることを特徴とする、薄膜監視方法としている。
請求項１２の発明は、請求項１記載の薄膜監視方法において、各時間の薄膜係数を記録し、薄膜形成に伴う変動の軌跡を書き出して、薄膜反射係数の監視図を作成することを特徴とする、薄膜監視方法としている。
請求項１３の発明は、請求項１記載の薄膜監視方法において、各時間の等価アドミタンスを記録し、薄膜成長に伴い変動する軌跡を書き出して、薄膜アドミタンスの監視図を作成することを特徴とする、薄膜監視方法としている。
請求項１４の発明は、請求項１３記載の薄膜監視方法において、該軌跡の左側の成長の終点で監視感度を増加するステップを包含し、該ステップにおいて、反射位相上にｐｉの位相シフトを加え、対応光学アドミタンスを再計算して監視感度を増加することを特徴とする、薄膜監視方法としている。
【発明の効果】
【０００９】
本発明は、数値調整を適用するかわりに新規の光学監視システムを提供し、分析的に反射係数、等価光学アドミタンス、屈折率、及び薄膜スタックの厚さを得る。
【００１０】
それは監視における、より高い精密度とより正確な誤り補償を提供する。それは、操作者が堆積をより明確に制御するのを助け、堆積の終点の誤判断を減らし、歩留りを改善する。
【図面の簡単な説明】
【００１１】
【図１】本発明の好ましい実施例による監視装置を示す模式図である。
【図２】本発明の好ましい実施例による画素化位相マスクカメラ上の偏光板分布の模式図である。
【図３】本発明の好ましい実施例による基板内の垂直入射光反射を示す図である。
【図４】本発明の好ましい実施例によるフローチャートである。
【図５】ｐｉの位相シフトを反射位相に加え、対応光学アドミタンスを再計算することで、感度が改善されるのを示す参考図である。
【発明を実施するための形態】
【００１２】
本発明は添付の図面に対する詳しい説明により、さらに理解されるが、それは本発明を限定するものではない。
【００１３】
本発明は添付の図面を参照してなされる以下の詳しい説明により、明確となるが、そのうち、同じ参照番号は同じ素子に関係する。
【００１４】
図１を参照されたい。薄膜監視装置１はコーティング装置１２外部に設置され、それはコーティング装置１２のコーティングチャンバ１００に接続されている。該薄膜監視装置１は光源１０３、コリメータ１０４、動的干渉計（dynamic interferometer）１０、撮像レンズ１１５、画素化位相マスクカメラ１１６、光検出器１２０、及び処理ユニット１２２を包含する。
【００１５】
該光検出器１２０はコーティングチャンバ１００に配置され、基板１４もまたコーティングチャンバ１００に配置される。
【００１６】
該動的干渉計（dynamic interferometer）１０は、好ましくは、Ｆｉｚｅａｕ偏光干渉計１０１とトワイマン−グリーン干渉計１０２が結合されたものとされるが、本発明はこの実施例に限定されるわけではない。Ｆｉｚｅａｕ偏光干渉計１０１はビームスプリッタ１１３、４分の１波長板１１４を包含する。該トワイマン−グリーン干渉計１０２は、偏光板１０５、偏光ビームスプリッタ（ＰＢＳ）１０６、二つの４分の１波長板１０７、１０８、二つのミラー１０９、１１０を包含する。
【００１７】
監視システムはコーティングチャンバ１００の外部に設置される。図１に示されるように、画素化位相マスクカメラ１１６が結合されたＦｉｚｅａｕ偏光干渉計１０１が光学位相を抽出するのに用いられる。
【００１８】
光は光源１０３より発射された後、コリメータ１０４により平行にされる。平行にされた光は偏光板１０５を通過することができ、それは二つの直交する偏光間の強度比を調整するのに用いられる。
【００１９】
該偏光ビームスプリッタ（ＰＢＳ）１０６は二つの直交する偏光をトワイマン−グリーン干渉計１０２の異なるアームに分離する。該二つの４分の１波長板１０７、１０８は該偏光ビームスプリッタ（ＰＢＳ）１０６の周囲に配置されて、一つのミラー１０９より反射されたＳ偏光をＰ偏光に変換し、もう一つのミラー１１０から反射されたＰ偏光をＳ偏光に、それぞれ変換するように配向される。二つのアームから来る光は、再び結合され、Ｆｉｚｅａｕキャビティーに至り、それは我々の基板である。
【００２０】
我我の場合、試験表面１１１は薄膜が成長する側に位置し、基板の別側は参考表面１１２とされる。反射光はビームスプリッタ１１３により４分の１波長板へと向かう。
【００２１】
該カメラの前方の該４分の１波長板１１４は、干渉計の二つのアームから来る二つの偏光ビームを、二つの直交円偏光状態へと変換する。該４分の１波長板１１４は薄膜の反射係数位相を、逆余弦形式よりも、むしろ、測定強度の逆正接関数から得られるものとする。それは４分の１波長板のない場合よりも高い感度を提供する。
【００２２】
該撮像レンズ１１５を通った後に、光線はカメラに向かう。該カメラ１１６はＣＣＤアレイを有し、各画素はその上に偏光板を有しており、図２に示されるようである。試験ビームをφＬの位相で左旋円偏光し、参考ビームはφＲの位相で右旋円偏光する。さらに、両ビームはｘ軸に対してα角の方向に配された線形偏光板に入射させられる。
【００２３】
該偏光板を通過した後、試験ビームと参考ビームのいずれも、α角に線形偏光され、＋αの位相オフセットが試験ビームに加えられ、−αの位相オフセットが参考ビームに加えられる。二つのビームはこうして共線関係となり、以下の一般式（１）に示される強度パターンを与える干渉を形成する。
【数１】
0005461376.tif 000002
そのうち、Φ（ｘ，ｙ）＝φＬ−φＲ、ＩＬ  及びＩＲ  は左旋及び右旋円偏光ビームの強度である。
【００２４】
線形偏光板は二つのビームの間の位相シフト装置として働き、位相シフト２αは偏光板の配向角の２倍に等しい。
【００２５】
図２に示されるように、該カメラの隣り合う画素は異なる配向偏光板を有する。一つのユニット内に、四つの異なる偏光板２０１、２０２、２０３、２０４を有し得て、該ユニットはＣＣＤアレイ中に周期的に分布される。該カメラ上に、０°、４５°、−４５°、９０°に四つの異なる偏光板があり、それらは位相シフトアルゴリズムのために、位相シフトされた四つの異なるインターフェログラムを一度に生成する。これらの位相はこれにより位相シフトアルゴリズムにより同時に計算され得る。
【００２６】
図３において、光線は空間的に分離され、且つ僅かな傾斜を以て描かれているが、それらは表面に対して垂直であり、監視システムにおいて共線関係にある。キャビティー内の数字は、キャビティーを出る前に各ビームが通過する試験表面反射の数を指す。
【００２７】
経路が一致し同タイプの線で描かれた対をなすビームのみが、互いに干渉し、なぜならその光は短いコヒーレンス長を有するためである。もし、我々がトワイマン−グリーン干渉計の一つのアームの翻訳段階を注意深く調整すれば、二つのミラー１０９、１１０のＰＢＳ１０６の距離が基板の光学厚さの違いを有するようにできる。試験表面からのＳ偏光ビームの各連続反射は、追加の試験表面反射を受けたＰ偏光ビームとコヒーレントである。ほとんど同じ経路長のビーム対のみが観察可能な干渉縞を有し、そのほかは低コヒーレンスゆえに抑制される。
【００２８】
Ｓ０とＰ１、及びＳ１とＰ２に一致する経路は、同タイプの線で描かれる（たとえば、Ｓ０とＰ１は破線で、Ｓ１とＰ２は点線で描かれる）。測定強度は以下の一般式２で示される。
【数２】
0005461376.tif 000003
そのうちＲｒとＲｔはそれぞれ参考表面と試験表面からの反射率である。φは各干渉ビーム対における二つのビームの間の位相差である。
【００２９】
成長薄膜の試験表面からの反射位相は、振動効果を凍結するために、シングルカメラフレームにおける４ステップ位相シフトアルゴリズムにより得られる。
【数３】
0005461376.tif 000004
そのうち、Φは期待位相である。
【００３０】
いくつかのフレームで得られたデータは、乱気流の影響を排除するために平均化されなければならない。
【００３１】
光学位相はリアルタイムで計算可能であり、参考表面と試験表面の間の距離、すなわち基板厚さはコーティングプロセス中に同じに維持されるべきであっても、トワイマン−グリーン干渉計の二つのミラーの機械的振動は時間の経過に伴い、異なる傾斜とシフトをもたらし得て、それは参考ビームと試験ビームの間の経路差を変更し、計算された位相結果の正確性に影響を与え得る。
【００３２】
基板の試験表面の一部はブロックされ、参考エリアとしてコーティングされずに維持されなければならない。参考エリアと試験薄膜エリアから来る光線は共通経路を通過するため、振動効果は、薄膜形成前の参考エリアと監視エリアの間の位相差を、薄膜形成後のそれから減じることにより、取り消され得る。こうして、薄膜の順反射位相が獲得され得る。
【００３３】
伝送される光線の強度変化を受け取る光検出器がコーティング装置の下に配置されている。反射係数の大きさ、反射率の平方根が、さらに得られる。反射率はカメラ及びＥｑ．（２）により測定される。
【００３４】
反射の大きさと位相が得られた後、垂直入射光の反射係数がわかり、光学アドミタンスが以下の関係式により計算され得る。
【数４】
0005461376.tif 000005
そのうち、φ及びθは反射係数の大きさと位相であり、ｎ０は発生手段の屈折率である。
【００３５】
他の場合では、発生手段は基板である。ゆえに、ｎ０は基板の屈折率ｎＳと等しい。αとβは以下により与えられる。
【数５】
0005461376.tif 000006
【００３６】
非吸収薄膜では、各瞬間の屈折率及び厚さの変化もまた計算され得る。
【００３７】
光学アドミタンスは以下のように記載され得る。
【数６】
0005461376.tif 000007
αＥ及びβＥは、以前に形成された薄膜の等価光学アドミタンスの実及び虚の部分である。δは新たに形成された薄膜の光学位相厚さであり、ｎは対応する屈折率である。
【数７】
0005461376.tif 000008
【数８】
0005461376.tif 000009
【００３８】
我我はｎ及びδが正である解のセットを選択しなければならない。ゆえに、成長薄膜スタックの各瞬間の反射係数、光学アドミタンス、屈折率、及び正確な厚さに関する完全な情報が、この光学監視システムを通して観察される。
【００３９】
反射係数或いは光学アドミタンス軌跡の監視感度は、光学位相厚さの単位ごとに変化し、二部分において分析されるべきであり、なぜなら軌跡は薄膜成長時に二つの直交する方向の両方において移動し、方向は実軸と虚軸に沿った方向である。
【００４０】
以下の方程式は光学アドミタンス軌跡の感度を示す。感度Ｘ及び感度Ｙは光学アドミタンスの実と虚の部分をそれぞれ示す。
【数９】
0005461376.tif 000010
【数１０】
0005461376.tif 000011
そのうちα及びβはそれぞれ以前の薄膜スタックの等価光学アドミタンスの実と虚の部分である。δは光学位相厚さであり、ｎは薄膜の屈折率である。
【００４１】
感度は軌跡の円の左側の成長終点において低い。しかし、図５に示されるように、もし我々が単にｐｉの位相シフトを反射位相に加え、対応光学アドミタンスを再計算すると、感度は大きく改善され得る。
【００４２】
【表１】
0005461376.tif 000012
【００４３】
表１は監視システムとエリプソメータによる測定結果の比較を示す。それらの結果は互いに非常に近い。
【００４４】
図４を参照されたい。本発明の監視方法は、リアルタイムで薄膜形成を監視するのに用いられ、薄膜コーティングが終結したか否かは、リアルタイム監視により判断される。
【００４５】
ステップＳ１００において、光源１０３の低コヒーレンス光が偽の干渉縞を抑制するために基板１４への照射に用いられる。トワイマン−グリーン干渉計１０２のミラー１０９、１１０が調整されて、二つのアーム間の長さの違いが、基板の光学厚さとなるようされ、特定の光束対のみが位相一致させられ、相互に干渉するものとされる。これにより、薄膜の反射位相計算が容易となる。干渉光をより明確に得るための干渉計の調整方法は周知であるため、ここではこれ以上の説明は行わない。
【００４６】
ステップＳ１０２において、画素化位相マスクカメラ１１６からの強度測定に一致する位相計算を行ない、強度測定の位相を解いて、強度測定の傾斜因子と収差を除去し、画素化位相マスクカメラ１１６よりキャプチャされた１５フレーム以上の位相を平均する。いいかえると、干渉ビーム対の間の位相差を解き、位相の傾斜因子と収差を除去し、位相に対する乱気流の影響を除去するために複数のフレームのデータを平均する。
【００４７】
ステップＳ１０４において、それぞれ開始位相差と開始強度として、コーティングエリアとブロックエリアの強度と位相差を記録する。
【００４８】
ステップＳ１０６において、薄膜形成を開始する。
【００４９】
そして、ステップＳ１０８が実行され、ステップＳ１０８において、画素化位相マスクカメラ１１６からの測定の位相を解き、測定の傾斜と収差を除去し、画素化位相マスクカメラ１１６からの１５個以上のフレームを平均する。
【００５０】
それから、ステップＳ１１０において、薄膜の反射位相を得るために基板のコーティングエリアとブロックエリアの間の透過率と測定位相差を得る。
【００５１】
ステップＳ１１２では、開始位相差を測定位相差と比較して反射位相変化を得て、測定強度を開始強度と比較する。いいかえると、測定位相差から開始位相差を減じて、成長薄膜の反射位相変化を得る。薄膜の透過率は、測定強度を開始強度と較べることで得られる。
【００５２】
それから、ステップＳ１１４として、成長薄膜の反射係数或いは光学アドミタンスを計算し、薄膜成長として軌跡を記録する。
【００５３】
ステップＳ１１６として、軌跡が薄膜形成の終点に至ったか否かをステップＳ１１４の結果により判断する。結果がイエスであれば、次にステップＳ１１８を実行する。判断結果がノーであれば、次にステップＳ１０８を実行して薄膜形成の監視を続ける。
【００５４】
最後に、ステップＳ１１８として、薄膜形成を終了する。
【００５５】
さらに、形成薄膜のリアルタイム屈折率及び厚さが分析的に得られる。それは薄膜素子形成のためのグローバルで精密なモニターを提供する。
【００５６】
薄膜が成長するときの反射係数軌跡及び光学アドミタンス軌跡がこうしてこのシステムにおいて監視される。これらの軌跡から、操作者は直接、薄膜形成の透過率或いは反射率軌跡よりも、より良好な誤り補償を見つけることができ、なぜなら、それらは薄膜の強度と位相の両方の情報を含むためである。
【００５７】
さらに、光学アドミタンス軌跡監視の感度を増す方法も、本発明において提出されている。
【００５８】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５９】
１  薄膜監視装置
１０  動的干渉計
１００  コーティングチャンバ
１０１  Ｆｉｚｅａｕ偏光干渉計
１０２  トワイマン−グリーン干渉計
１０３  光源
１０４  コリメータ
１０５  偏光板
１０６  偏光ビームスプリッタ（ＰＢＳ）
１０７、１０８  ４分の１波長板
１０９、１１０  ミラー
１１５  撮像レンズ
１１６  画素化位相マスクカメラ
１２０  光検出器
１２２  処理ユニット
１１３  ビームスプリッタ
１１４  ４分の１波長板
１２  コーティング装置
１４  基板
【図１】
0005461376.tif 000013
【図２】
0005461376.tif 000014
【図３】
0005461376.tif 000015
【図４】
0005461376.tif 000016
【図５】
0005461376.tif 000017